(57)【要約】      （修正有）【課題】カメラ外装の温度上昇を抑えつつ、保護ケースを小型化できるカメラ構造及びそれを構成する撮像装置を提供する。【解決手段】熱源となる素子２０５と、素子が搭載されたメイン基板と直交する方向にスライド可能な外装カバーと、外装カバーの外側を覆う保護ケースと、外装カバーを素子から離れた位置に係止する係止部材と、保護ケースの内側に設けた突起部により押下され、係止部材に設けた傾斜部２１１ｆと当接することで係止部材を移動させ、外装カバーの係止を解除するレバー部材を備え、外装カバーが保護ケース内に収納されているとき、外装カバーは、素子に近づく方向にスライドし、外装カバーが保護ケース内に収納されていないとき、外装カバーは、素子から遠ざかる方向にスライドする。【選択図】図６
2016133685.tif 000002
【特許請求の範囲】
【請求項１】
熱源となる素子（２０５）と、前記素子（２０５）が実装された回路基板（２０４）と、前記回路基板（２０４）と直交する方向にスライド可能な前記素子（２０５）前面を覆う外装カバー（１０７）と、前記外装カバー（１０７）の外側を覆う保護ケース（３０１）と、前記外装カバー（１０７）を前記素子（２０５）から離れた位置に係止する係止部材（２１１）と、前記保護ケース（３０１）の内側に設けた突起部（３０６ｃ）により押下され、前記係止部材（２１１）に設けた傾斜部（２１１ｆ）と当接することで前記係止部材（２１１）を移動させ、前記外装カバーの係止を解除するレバー部材（２０９）と、を備えた撮像装置と保護ケースにおいて、
前記外装カバー（１０７）が前記保護ケース内に収納されているとき、前記外装カバー（１０７）は、前記素子（２０５）に近づく方向にスライドし、前記外装カバー（１０７）が前記保護ケース（３０１）内に収納されていないとき、前記外装カバー（１０７）は、前記素子（２０５）から遠ざかる方向にスライドすることを特徴とする撮像装置と保護ケース。
【請求項２】
レンズ鏡筒（１０２）と、前記レンズ鏡筒（１０２）よりも被写体寄りに先端部（２０８ｈ）が突出し、光軸方向にスライド可能な鏡筒リング（２０８）と、前記鏡筒リングの外側を覆う保護ケース（３０１）と、前記保護ケース（３０１）の、レンズ鏡筒（１０２）と対向する位置に設けられた遮光リング（３０６）と、前記遮光リング（３０６）中央にレンズ光線を避けるように開口したレンズ開口部（３０６ｂ）と、前記開口部（３０６ｂ）を塞ぐように遮光リング（３０６）に接着されるカバーガラス（３０７）と、前記カバーガラス（３０７）を接着するため遮光リング（３０６）に設けた受け部（３０６ａ）と、を備えた撮像装置と保護ケースにおいて、
前記鏡筒リング（３０６）が前記保護ケース（３０１）内に収納されているとき、前記受け部（３０６ａ）から退避する方向に、前記鏡筒リング（３０６）が光軸方向にスライド移動することを特徴とする撮像装置と保護ケース。
【請求項３】
音響部品（２１３）と、前記音響部品（２１３）を保持する可撓部材（１０４）と、前記可撓部材（１０４）が伸出自在に繰り出せる穴（１０７ｃ）を有するとともに、前記音響部品（２１３）の装着面と直交する方向にスライド可能な外装カバー（１０７）と、前記外装カバー（１０７）を覆う保護ケース（３０１）と、を備えた撮像装置と保護ケースにおいて、
前記外装カバー（１０７）が、前記保護ケース（３０１）に収納された際、前記音響部品（２１３）と前記可撓部材（１０４）が前記保護ケース（３０１）に設けられた音響孔（３０２ｄ）の内壁面（３０２ｆ）に当接する位置まで伸出することを特徴とする撮像装置と保護ケース。
【請求項４】
音響部品（２１４）と、前記音響部品（２１３）を保持する可撓部材（１０４）と、前記可撓部材（１０４）が伸出自在に繰り出せる穴（１０７ｂ）を有するとともに、前記音響部品（２１４）の装着面と直交する方向にスライド可能な外装カバー（１０７）と、前記外装カバー（１０７）を覆う保護ケース（３０１）と、を備えた撮像装置と保護ケースにおいて、
前記保護ケース（３０１）は前記音響部品（２１４）と対向した位置に開口穴（３０２ｅ）を有し、前記外装カバー（１０７）が、前記保護ケース（３０１）に収納された際、前記音響部品（２１４）と前記可撓部材（１０４）が前記保護ケース（３０１）に設けられた音響孔の前記開口穴（３０２ｅ）に挿通する位置まで伸出することを特徴とする撮像装置と保護ケース。
【請求項５】
前記外装カバー（１０７、１０８）は、一つの面を開口した箱状形状を有した前後２部品で構成され、前記２つの外装カバー（１０７、１０８）はそれぞれ入れ子状に構成されていることを特徴とする請求項１乃至請求項４の何れか一項に記載の撮像装置と保護ケース。
【請求項６】
前記係止部材（２１１）は突起部（２１１ａ、２１１ｂ、２１１ｃ）を有するとともに、前記外装カバー（１０７）のスライドと直交する方向に移動可能に支持され、前記入れ子状に構成された外装カバー（１０７）の内側に位置する側のカバー（１０８）開口端部（１０８ｂ）に前記突起部（２１１ａ、２１１ｂ、２１１ｃ）を係止することを特徴とする請求項５に記載の撮像装置と保護ケース。
【請求項７】
前記外装カバー（１０７）が前記保護ケース（３０１）内に収納されているとき、前記外装カバー（１０７）は、前記熱源（２０５）と接触し、前記素子（２０５）と前記外装カバー（１０７）が熱結合することを特徴とする請求項１、請求項５、請求項６の何れか一項に記載の撮像装置と保護ケース。
【請求項８】
前記保護ケース（３０１）は音響孔（３０２ｄ、３０２ｅ）と前記音響孔（３０２ｄ、３０２ｅ）からの水漏れを防ぐためのシリコンゴム膜（４０７，４０８）を有し、前記保護ケース（３０１）が水中にある時、水圧で膨らんだシリコンゴム膜（４０７，４０８）を裏側から当接して支える位置まで前記音響部品（２１３、２１４）および前記可撓部材（１０４）が伸出することを特徴とする請求項３又は請求項４に記載の撮像装置と保護ケース。
【発明の詳細な説明】
【技術分野】
【０００１】
本発明は、撮像装置の外装カバーおよび、保護ケースの構造に関する。
【背景技術】
【０００２】
近年、デジタルカメラの動画性能が向上し、画像処理ＣＰＵの負荷が増えて、カメラ内部の実装部品、特にメイン基板周辺の温度上昇が顕著であった。
【０００３】
更に、画像処理ＣＰＵとカメラ外装が近く、画像処理ＣＰＵや電気素子から発生する熱を逃がすための十分な空気層を確保できないため、デジタルカメラ内部に蓄積される熱の逃げ場がなくなっている。そのため、使用者がデジタルカメラ撮影中に、直に手に触れている外装表面が熱くなりやすいという問題があった。
【０００４】
そこで、従来のデジタルカメラでは、動画撮影中に一定の温度まで上昇したとき、撮影を自動的に停止したり、解像度を落とすことで温度上昇を防ぐ必要があった。
【０００５】
また、内側に精密部品を有するデジタルカメラにおいては、使用時や携帯中における内側機構を保護するため、カメラを装着可能な保護ケースにより、防水や外部からの衝撃から保護を行うものがある。この様なカメラや保護ケースは、撮影時に自転車やサーフボードに装着した状態で使用される事が多く、装着の自由度を高める上でも、カメラや保護ケースの小型化が重要である。
【０００６】
特許文献１の提案では、上述の保護ケースに相当する箱状のスライドカバーの位置に応じて撮影の可否または撮影条件が変更されるカメラで、撮影時は外装スライドカバーを移動させ、放熱を行うための放熱部材が、カメラ本体と前記箱状のスライドカバーとの間に形成される空間に対して放熱を行う撮像装置を開示している。
【先行技術文献】
【特許文献】
【０００７】
【特許文献１】特開２００５−１８１６３０号公報
【発明の概要】
【発明が解決しようとする課題】
【０００８】
しかしながら、上述の特許文献１に開示された従来技術では、撮影中に発生する熱は本体内部に空間を設けることでカメラ外装の温度上昇を防いでいる。この場合、使用状態でのカメラの体積が大きくなってしまいカメラを装着する保護ケースも合わせて大きくなるという問題があった。
【０００９】
そこで、本発明の目的は、カメラ外装の温度上昇を抑えつつ、保護ケースを小型化できるカメラ構造及びそれを構成する撮像装置を提供することにある。
【課題を解決するための手段】
【００１０】
上記の目的を達成するために、本発明の撮像装置は、
熱源となる素子（２０５）と、前記素子（２０５）が実装された回路基板（２０４）と、前記回路基板（２０４）と直交する方向にスライド可能な前記素子（２０５）前面を覆う外装カバー（１０７）と、前記外装カバー（１０７）の外側を覆う保護ケース（３０１）と、前記外装カバー（１０７）を前記素子（２０５）から離れた位置に係止する係止部材（２１１）と、前記保護ケース（３０１）の内側に設けた突起部（３０６ｃ）により押下され、前記係止部材（２１１）に設けた傾斜部（２１１ｆ）と当接することで前記係止部材（２１１）を移動させ、前記外装カバーの係止を解除するレバー部材（２０９）と、を備えた撮像装置と保護ケースにおいて、
前記外装カバー（１０７）が前記保護ケース内に収納されているとき、前記外装カバー（１０７）は、前記素子（２０５）に近づく方向にスライドし、前記外装カバー（１０７）が前記保護ケース（３０１）内に収納されていないとき、前記外装カバー（１０７）は、前記素子（２０５）から遠ざかる方向にスライドすることを特徴とする。
【発明の効果】
【００１１】
本発明によれば、カメラ外装の温度上昇を抑えつつ、保護ケースを小型化できるカメラ構造及びそれを構成する撮像装置の提供を実現できる。
【図面の簡単な説明】
【００１２】
【図１】本発明の実施の形態に係るデジタルカメラの外観斜視図である。
【図２】デジタルカメラの内部構成を示す分解斜視図である。
【図３】本発明の実施の形態に係る保護ケースの外観斜視図である。
【図４】保護ケースの内部構成を示す分解斜視図である。
【図５】樹脂インナーの構成を示す分解斜視図である。
【図６】本発明の実施の形態に係るデジタルカメラのスライド機構の構成を示す斜視図である。
【図７】本発明の実施の形態に係るデジタルカメラの図１の矢視Ａ−Ａ線に沿うスライド機構の構成を示す断面図である。
【図８】本発明の実施の形態に係るデジタルカメラと保護ケースの図１の矢視Ａ−Ａ線に沿う装着状態の構成を示す断面図である。
【図９】本発明の実施の形態に係るデジタルカメラと保護ケースの図１の矢視Ｂ−Ｂ線に沿う装着状態の構成を示す断面図である。
【図１０】本発明の実施の形態に係るデジタルカメラと保護ケースの図１の矢視Ｃ−Ｃ線に沿う装着状態の構成を示す断面図である。
【発明を実施するための形態】
【００１３】
以下に、本発明の好ましい実施の形態を、添付の図面に基づいて詳細に説明する。
【実施例】
【００１４】
図１から図７を参照して、本発明の実施例によるカメラと保護ケース構造について説明する。図１は本実施の形態にかかるデジタルカメラの外観斜視図を示す。図１（ａ）はカメラ前面側、図１（ｂ）はカメラ背面側から見た斜視図である。
【００１５】
同図において、デジタルカメラ１０１は、本体前面にレンズ鏡筒１０２と、該レンズ鏡筒の周囲を囲う突起部１０３、後述するスピーカーユニット２１４、コンデンサーマイク２１３を保持するゴムブッシュ１０４を備えている。背面側には、カメラの電源の投入／切断を行う際に操作する電源ボタン１０５、動画撮影行う際に操作する動画撮影ボタン１０６を備えている。
【００１６】
カメラの外装を構成するのはフロントカバー１０７、およびリアカバー１０８であり、それぞれ対向する面を開口した金属製の箱状形状を備える。カメラ状態ではリアカバー１０８がフロントカバー１０７内に収納される構成を有し、フロントカバー１０７、およびリアカバー１０８は正面から見た時の短辺、長辺長さが異なる。
【００１７】
本実施例に記載のカメラは動画撮影に特化した小型カメラである。カメラは最小限のボタンしか備えず、図示しないが充電用の無線給電を内部に備えるため充電用のコネクタも無く、充電池やメディア交換のための蓋や撮影画像を確認するためのモニタも省略されている。電源および撮影ボタン以外の操作、画像確認等は無線ＬＡＮ接続を介して外部機器で行われる。
【００１８】
上述した電源ボタン１０５、動画撮影ボタン１０６は、後述のメイン基板２０４に実装されているＣＰＵ２０５により制御される。
【００１９】
図２はデジタルカメラ１０１の内部構造を示す分解斜視図である。レンズ鏡筒１０２は、撮影レンズ、該撮影レンズを支持する鏡筒部材、撮像素子等からなる撮影光学系を構成している。撮影レンズは単焦点の広角レンズを搭載し、小型化を優先するため沈動機構などは省略されている。レンズ鏡筒１０２と２次電池２０１と、各操作スイッチが実装された操作フレキシブル基板２０２は、樹脂フレーム２０３（フレーム部材）によって保持される。
【００２０】
次に、信号処理基板であるところのメイン基板２０４はＣＰＵ２０５を実装し、基板の過熱を防ぐための放熱板２０６は伝熱ゴム２０７の表面に塗布された粘着剤によりメイン基板２０４に接着、保持されている。メイン基板２０４は端部２０４ａを樹脂フレーム２０３のフック２０３ａによって係止されている。
【００２１】
フロントカバー１０７前面にはレンズ鏡筒１０２を挿通するための開口穴１０７ａおよび後述するスピーカーユニット２１４、コンデンサーマイク２１３を保持するゴムブッシュ１０３を挿通するための開口穴１０７ｂ、１０７ｃを備え、また両側面にはビス固定のための開口１０７ｄを備える。フロントカバー１０７裏面には樹脂インナー２０８が接着固定され、フロントカバー１０７の開口穴１０７ａより突出するレンズ鏡筒１０２を保護するためのリング形状２０８ａを備える。また、メイン基板２０４と対向する位置には、放熱板２０６が挿通可能な開口穴２０８ｂを備える。
【００２２】
樹脂インナー２０８のリング形状２０８ａ上下にはそれぞれスリット２０８ｃが備わり、両スリット２０８ｃには、ロックレバー２０９が挿通される。ロックレバー２０９はコイルバネ２１０によりに付勢され、後述する保護ケースに設けられた突起部３０６ｃにより押圧されることでカメラ光軸方向に移動可能に保持される。樹脂インナー２０８には更に、スライダー部材２１１が装着され、ガイドピン２０８ｄと段ビス２１２によりカメラ長手方向に移動可能に保持される。スライダー部材２１１には３つの突起部２１１ａから２１１ｃを備え、それぞれ突起部２１１ａから２１１ｃはリアカバー１０８に係止可能な位置と係止を解除する位置の間を移動する。
【００２３】
２つのコンデンサーマイク２１３およびスピーカーユニット２１４は、一体のゴムブッシュ１０４に装着され、不図示のケーブルによりメイン基板２０４に接続される。ゴムブッシュ１０４は防水両面テープ２１５によりフロントカバー１０７に接着固定され、ゴムブッシュ１０４の前面側１０４ａおよび１０４ｂはそれぞれフロントカバー１０７の開口穴１０７ｂ、１０７ｃから露出する。
【００２４】
また、樹脂インナー２０８側面にはサブシャーシ２１６が装着され、反対側の側面にはサブシャーシ２１７が装着される。サブシャーシ２１６、２１７には、それぞれビス固定のためのバーリング穴２１６ａ、２１７ａを具備する。合計４箇所のバーリング穴２１６ａ、２１７ａはフロントカバー１０７の開口１０７ｄと対向した位置にあり、段ビス２１８が挿通する。
【００２５】
一方、リアカバー１０８側のビス穴１０８ａは長穴形状を有し、段ビス２１８によりカメラ光軸方向に移動自在に保持される。
【００２６】
また、電源ボタン１０５、動画撮影ボタン１０６を形成する樹脂ボタン２１９がリアカバー１０８の裏面に装着される。
【００２７】
図３は本実施の形態にかかる保護ケースの外観斜視図を示す。同図において、保護ケース３０１は、透明のポリカーボネート樹脂で成形されたフロントケース３０２およびリアケース３０３を備える。
【００２８】
保護ケースは主に水中撮影用の防水ケースとして使用される。保護ケースの外装材は中に装着したカメラの状態が容易に分かるように透明材で構成しているが、水圧や衝撃に耐えられるように肉厚で構成され、カメラとケースの間には水圧による変形分を見込んで適度な隙間が設けられている。保護ケース３０１はさらに、ケースを開閉するための軸部３０４と、ケースの密閉状態を保持するためのバックル３０５を備える。
【００２９】
フロントケース３０２前面にはカメラ側の鏡筒部１０２を収納する突起部３０２ａを備え、先端部には遮光性を備えたリング部材３０６、その中央部にカバーガラス３０７が装着される。透明材で成形されたフロントケース３０２は光を反射してしまうため、カバーガラス３０７を透過する光以外を遮光して、撮影画像にゴーストが発生しないようにリング部材３０６は遮光グレードの樹脂で成形されている。
【００３０】
デジタルカメラ１０１のスピーカー１０３およびマイク１０４と対向する位置に、保護ケース３０１のスピーカー穴３０８およびマイク穴３０９が備わる。
【００３１】
図４は保護ケース３０１の構成を示す分解斜視図である。同図においてフロントケース３０２およびリアケース３０３の間にはメインパッキン４０１が外周の溝部に装着され、水の浸入を防いでいる。シャフト４０２が軸部３０４に挿入され、保護ケース３０１はシャフト４０２を軸中心に開閉自在に軸支される。
【００３２】
バックル３０５はベース４０３にロックレバー４０４をプレート４０６で摺動自在に支持され、バネ４０５により常にフロントケース３０２、リアケース３０３を係止する方向に付勢される。さらにバックル３０５はシャフト４０７によりリアケース３０３に回転自在に軸支され、ベース４０３に設けた開口穴（図示しない）から露出するロックレバー４０４をスライド操作することによりケースの係止を解除する。
【００３３】
フロントケース３０２前面にはマイクシート４０７を装着するための窪み３０２ｂと、スピーカーシート４０８を装着するための窪み３０２ｃを備える。各窪み３０２ｂ、３０２ｃは中央部が開口され、開口部３０２ｄ、３０２ｅと同軸上にスピーカー１０３およびマイク１０４の中心が来るように配置されている。
【００３４】
マイクシート４０７およびスピーカーシート４０８は薄いシリコンゴムのシートで形成され、裏面に設けたリング状の防水両面テープ（不図示）でフロントケース３０２に接着される。マイクシート４０７に使用している音響用シリコンゴムシートは、防水両面テープで接着されていない中央部がケース外部の音により振動させられ、そのシートの振動がケース内部の空気を振動させる。この振動をカメラ本体１０１のマイク１０４で拾うことによりケース内のカメラはケース外の音を録音することができる。
【００３５】
一方、スピーカーシート４０８についても同様にカメラ本体１０１に備えたスピーカー１０３から発せられた音が音響用シリコンゴムシートを振動させ、ケース外に音を伝えることができる。マイクシート４０７およびスピーカーシート４０８の前面はシートを保護するためのパネル４０９が装着される。
【００３６】
遮光用のリング部材３０６にはカバーガラス３０７を装着するための窪み３０６ａを備え、窪み３０６ａの中央にはカメラ本体１０１のレンズ鏡筒１０２のレンズ画角に対応する開口部３０６ｂを備える。
【００３７】
リング部材３０６の裏面にはフロントケース３０２の突起部３０２ａの内周面３０２ｄに沿って伸沿する突起３０６ｃを備える。突起３０６ｃはカメラ本体１０１のロックレバー２０９と相対する位置にあり、保護ケース３０１内にカメラ本体１０１を挿入し、ケースを閉じた時に突起３０６ｃがロックレバー２０９を押下する。
【００３８】
図５はデジタルカメラ１０１のフロントカバー１０７の内部構成部品（２０８、２０９、２１１）を背面側から見た詳細斜視図である。説明のため、カメラ光軸方向をＺ、カメラ長手方向をＸと表記する。
【００３９】
樹脂インナー２０８には３本のガイドボス２０８ｄを備え、ロックレバー２０９のベース部２０９ａに設けられたガイド穴２０９ｂを挿通することによりロックレバー２０９は矢印Ｚ方向に摺動可能に軸支される。
【００４０】
また樹脂インナー２０８上下側面には２つのガイドボス２０８ｅを備える。２つのガイドボス２０８ｅはスライダー部材２１１に設けたスリット２１１ｄにそれぞれ嵌合し、スライダー部材２１１を矢印Ｘ方向に移動可能に軸支する。また同様に、樹脂インナー２０８のビス固定用ボス２０８ｆに締結される段ビス２１２の段差部２１２ａは、スライダー部材２１１に設けた長穴２１１ｅと嵌合し、先のガイドボス２０８ｅとともにスライダー部材２１１を矢印Ｘ方向に移動可能に軸支する。
【００４１】
次に、ロックレバー２０９は上下２箇所に傾斜面を備えた突起部２０９ｃを具備する。また、スライダー部材２１１における前記突起部２０９ｃと対向する位置には傾斜面を備えた窪み２１１ｆを具備する。
【００４２】
付勢バネ２１０は一方端を鏡筒ユニット側で保持され、他端側をガイドボス２０８ｄに挿通し、ロックレバー２０９を押圧することによりフロントカバー１０７もリアカバー１０８から離れる方向に付勢している。
樹脂インナー２０８の側面にはスライダー部材２１１を付勢するコイルバネ５０１を装着され、スライダー部材２１１の３つの突起部２１１ａから２１１ｃがリアカバー１０８に係止される位置に来るように付勢する。
【００４３】
図６はデジタルカメラ１０１のフロントカバー１０７を外した状態の詳細斜視図である。図６（ａ）は通常状態を示し、図６（ｂ）は保護ケース３０１内の突起３０６ｃ（図４）によりロックレバー２０９押下された状態を示す。図６（ｃ）はリアカバーに対する係止が外れ、フロントカバー１０７がスライドした状態を示す。
【００４４】
図６（ａ）において、ロックレバー２０９は付勢バネ２１０（図５）により押圧され、ロックレバー２０９の先端部２０９ｄの位置は、樹脂インナー２０８のリング形状２０８ａと一致する。
【００４５】
また、この段階ではＣＰＵ２０５および放熱板２０６は樹脂インナー２０８の開口部２０８ｂより奥まった位置にあり、フロントカバー１０７と熱源の間には十分な空気層が確保されている。その結果、動画撮影時に発生する熱によりフロントカバー１０７が高温になることはなくない。
【００４６】
しかし、十分な空気層を確保したことによりカメラ自体の大きさが増しているため、このまま保護ケースに入れてしまうと、保護ケースも大きくする必要があった。また、カメラ本体と保護ケースの間にも空気層がある上、保護ケースは熱伝導率の低い樹脂材料であること、強度確保のため肉厚が厚いことを考慮すると先のカメラ本体内の空気層は余分であると言える。
【００４７】
そこで、本実施例では、保護ケースに挿入した時のみ、カメラ内の空気層を減らして保護ケースの大きさを抑えることを特徴としている。
【００４８】
ロックレバー２０９の先端部２０９ｄが保護ケース３０１の突起３０６ｃにより押下されると、傾斜面を備えた突起部２０９ｄがスライダー部材２１１の傾斜面を備えた窪み２１１ｆと当接する。スライダー部材２１１の突起部２１１ａから２１１ｃがリアカバーの窪み１０８ｂおよび端部１０８ｃにより係止されているため、この段階ではフロントカバー１０７がリアカバー１０８側に移動することは無い。
【００４９】
さらに押し込まれると、図６（ｂ）の位置において、傾斜によりスライダー部材２１１は矢印α方向へ移動させられ、突起部２１１ａから２１１ｃが係止から外れる位置まで移動する。
【００５０】
次にカメラ本体１０１が保護ケース３０１に収納された状態では、係止を解除されたフロントカバー１０７は矢印βの方向に移動し、図６（ｃ）の位置に収まる。この状態では、ＣＰＵ２０５および放熱板２０６とフロントカバー１０７が当接する位置までフロントカバー１０７が接近する。
【００５１】
ＣＰＵ２０５および放熱板２０６からフロントカバー１０７に熱が伝達された分、基板２０４の温度やＣＰＵ２０５の温度を下げることが可能であり、その余裕分をさらに動画性能の向上に使用することも可能となる。例えば、保護ケースに挿入された時のみ連続録画可能時間の延長や、画像の解像度向上、撮影時のフレームレート向上が許可されるといった使用方法が可能である。
【００５２】
図７は各収納状態におけるカメラ本体１０１の断面図Ａ−Ａ（図１）を示す。図７（ａ）は通常状態を示し、図７（ｂ）は保護ケース３０１内の突起３０６ｃによりロックレバー２０９押下された状態を示す。図７（ｃ）は保護ケース３０１にカメラ１０１を装着した状態を示す。
【００５３】
フロントカバー１０７とリアカバー１０８はそれぞれ開口部の大きさが異なり、本実施例ではリアカバーがフロントカバー内に収まるように入れ子状の形状を具備する。これにより、フロントカバー１０７とリアカバー１０８はカメラ光軸方向に伸縮可能となり、カメラ体積の拡張時および縮小時の移動量はリアカバー１０８側の長穴形状１０８ａと段ビス２１８（図２）により規制される。
【００５４】
図７（ａ）において、コイルバネ２１０は樹脂インナー２０８のガイドピン２０８ｄと、レンズ鏡筒１０２のガイドボス１０２ａに挟まれ保持される。コイルバネ２１０は、ロックレバー２０９を付勢し、ロックレバー２０９が樹脂インナー２０８を付勢することから、樹脂インナー２０８と接着されたフロントカバー１０７はカメラ体積が拡張された状態で保持される。
【００５５】
レンズ鏡筒１０２には１群レンズ７０１が固定筒７０２に接着固定される。１群レンズ７０１の周囲は、レンズの位置決めと、遮光を目的としたリブ７０２ａが固定筒７０２から延伸する。フロントカバー１０７が拡張状態にある時、レンズ鏡筒１０２の１群レンズ７０１の頂点部７０１ａは、樹脂インナー２０８のリング先端部２０８ｈより低い位置にあり、カメラを不用意に扱っても１群レンズ頂点７０１ａに傷が入らないよう保護される。
【００５６】
図７（ｂ）では、ロックレバー２０９が押下され、コイルバネ２１０が圧縮される。この段階まで、フロントカバー１０７はスライダー部材２１１の突起部２１１ａから２１１ｃ（図６）により係止されているためロックレバー２０９のみ単体で移動する。
【００５７】
さらにロックレバー２０９が押下されると、係止が外れフロントカバー１０７は図７（ｃ）の位置までスライドする。この際、樹脂インナー２０８のリング先端部２０８ｈは１群レンズ７０１より離れた位置まで退避し、１群レンズ７０１は露出した状態となるが、代わりに保護ケース３０１がレンズを保護するため傷が入る心配はない。
【００５８】
その後、保護ケース３０１からカメラ本体１０１を取りだすと、コイルバネ２１０によりフロントカバー１０７は図７（ａ）の位置まで移動する。また、スライダー部材２１１もコイルバネ５０１により突起部２１１ａから２１１ｃがリアカバー１０８に係止する位置まで移動する。これにより、撮影者がカメラ本体１０１を保護ケース３０１に着脱することにより自動的にカメラ本体１０１はスライドし、カメラ本体１０１が縮小／拡大を繰り返す。
【００５９】
つまり撮影者が保護ケース無しで撮影する際は、カメラ外装が熱くならないように放熱空間が確保され、保護ケース有りで撮影する際はカメラが縮小され、保護ケースを小型化できる。
【００６０】
また、保護ケース使用時は基板やＣＰＵの温度を下げることが可能であり、より解像度を高くしたり、連続撮影時間を長くすることが可能となる。
【００６１】
次に図８はカメラ収納状態におけるカメラ本体１０１および保護ケース３０１の断面図Ａ−Ａ（図１）を示す。保護ケース３０１のリング部材３０６の中央部にはカバーガラス３０７を装着するための受け面３０６ａを備え、防水両面テープによりカバーガラス３０７が固定される。カバーガラス３０７の周囲には、カバーガラス側壁３０７ａと対向するように遮光リブ３０６ｂが形成される。
【００６２】
遮光リブ３０６ｂはさらに、カメラ光軸方向においてカバーガラス３０７よりも高くなるように設定され、落下などの衝撃でガラスが割れないように保護を行う。
【００６３】
リング部材３０６に設けられた突起部３０６ｃはカメラ本体１０１を装着時、図の位置までロックレバー２０９の先端部２０９ｄを押下するが、突起部３０６ｃが退避したロックレバー２０９の隙間を埋めるため遮光壁が無くなることは無い。
【００６４】
次に図９（ａ）はカメラ収納状態におけるカメラ本体１０１および保護ケース３０１の断面図Ｂ−Ｂ（図１）を示し、図９（ｂ）は、Ｄ部の拡大図を示す。カバーガラス３０７の裏面には、レンズ画角に相当する範囲３０７ａのみ光線が透過するように黒印刷による遮光が施される。
【００６５】
リング部材３０６の受け面３０６ａ部に接着するための防水両面テープは黒印刷により可視できない範囲３０７ｂに設定される。防水両面テープの必要幅は、要求される耐水圧の大きさと連続水中使用時間に応じて決定され、水深が深くなり水圧が上がると両面テープの基材に浸透する水の速度が上がり、水中での連続撮影可能時間が短くなる。
【００６６】
一方、広角レンズ採用に伴いカバーガラス裏面と１群レンズ７０１の距離が離れるとカバーガラス３０７のレンズ画角範囲３０７ａが広くなり、その結果防水両面テープ幅が確保できなかったり、ガラス自体を大きくする必要がある。
【００６７】
しかしながら、カバーガラスが大きくなるとコストが増大する上、保護ケースの鏡筒部全体が大きくなという問題があった。
【００６８】
そこで、本実施例では、１群レンズ頂点７０１ａとカバーガラス３０７の隙間は水圧による変形分を考慮し、必要最小限の間隔で構成する。そのためには、固定筒７０２の遮光リブ７０２ａや樹脂インナー２０８のリング先端部２０８ｈとレンズ画角の光線を回避し、かつ１群レンズ７０１に外光が入らないようにリング部材３０６に遮光壁３０６ｄを形成する必要がある。
【００６９】
そのため、本実施例では、カメラ本体１０１を保護ケース３０１に装着した時、樹脂インナー２０８のリング先端部２０８ｈをフロントカバー１０７ごと退避させることによって遮光壁３０６ｄを形成するスペースを確保している。これにより本実施例の保護ケース３０１はレンズ鏡筒部やカバーガラス３０７を大型化することなく、遮光壁を形成することが出来た。
【００７０】
次に図１０（ａ）はカメラ状態における断面図Ｃ−Ｃ（図１）を示し、図１０（ｂ）はカメラ本体１０１を保護ケース３０１に装着した状態の断面図Ｃ−Ｃを示す。
【００７１】
コンデンサーマイク２１３およびスピーカーユニット２１４の背面には、樹脂フレーム２０３から伸びるリブ２０３ａ、２０３ｂを備える。フロントカバー１０７がスライドするとリブ２０３ａ、２０３ｂはコンデンサーマイク２１３およびスピーカーユニット２１４に当接し、ゴムブッシュ１０４を変形させながらコンデンサーマイク２１３とスピーカーユニット２１４をカメラ外部方向に押し出す。
【００７２】
図１０（ｂ）において、押し出されたコンデンサーマイク２１３は保護ケース３０１の裏面３０２ｆに押圧され、ゴムブッシュ１０４がチャージされた状態で保持される。スピーカーユニット２１４は保護ケース３０１の開口穴３０２ｅを挿通し、スピーカーシート４０８近傍まで延出する。
【００７３】
従来、カメラ本体を保護ケースに収納した場合、カメラとケースの隙間から音が拡散してしまい、カメラ内のマイクで音を録音しても小さい音になったり、スピーカーの音がケースの外では聞こえづらいという問題があった。
【００７４】
一方、ムービーカメラの水中ケースのようにケースに別途独立したマイクやスピーカーを設けてカメラと通信ケーブルを接続させて使用する場合ではケースが大型化するという問題があった。
【００７５】
本実施例では、カメラ本体１０１側からコンデンサーマイク２１３およびスピーカーユニット２１４を突出させ、カメラとケース間の隙間を埋めることで、ケース内に装着した状態でもゴムブッシュ１０４による密閉が可能となり、音の拡散を防いでいる。
【００７６】
また、シリコンゴムシートは高い防水性能を備えるが、反面水圧などでゴムシートがケース内部に向かって膨らみ、ゴムシートが伸びてしまい振動特性が劣化してしまうことや、破れが発生することがあり、ケース内裏面の支えが重要である。
【００７７】
本実施例では、カメラ本体１０１側からコンデンサーマイク２１３やスピーカーユニット２１４を突出させ、カメラとケース間の隙間を埋めることで、シリコンシートを支えて過度の膨らみを防止する。
【００７８】
またさらに、カメラとケース間の隙間からシートがはみ出して破れることを防いでいる。これにより、カメラをケースに装着した状態でも音の劣化を防ぎ、かつ小型化を実現することができた。
【００７９】
また、本実施の形態では、カメラ外装を金属製で入れ子構造のスライド機構とした場合を例に挙げたが、これに限定されるものではない。外装材料は樹脂材料でも良く、スライド機構も前後カバーの端面を隠すセンターカバーを設けた３ピース構造とし、入れ子構造にしなくても良い。この場合も同様の効果が得られる。
【００８０】
また、本実施の形態では、熱源となる基板やＣＰＵをフロントカバー側に配置した機構を例に挙げたが、これに限定されるものではない。基板やＣＰＵは背面側に配置してリアカバー側をスライドしても良い、また基板は撮像素子を実装するセンサーフレキシブル基板でも良い。この場合も同様の効果が得られる。
【００８１】
また、本実施の形態では、ロックレバーを鏡筒周囲に配置した機構を例に挙げたが、これに限定されるものではない。ロックレバーは鏡筒以外の外装カバー上に独立した形で設けても良い。この場合も同様の効果が得られる。
【００８２】
また、本実施の形態では、本発明の構成をデジタルカメラに適用した場合を例に挙げたが、これに限定されるものではない。
【００８３】
本発明の構成は、デジタルカメラ以外にも、一眼レフカメラ、ビデオカメラ等の各種形態の撮像装置、撮像装置以外の光学機器、電子機器にも適用することができる。更に、撮像装置や光学機器や電子機器を構成する要素にも適用することができる。
【符号の説明】
【００８４】
１０１  カメラ本体、１０２  レンズ鏡筒、３０１  保護ケース、
１０７  フロントカバー、１０８  リアカバー、２０４  メイン基板、
２０５  ＣＰＵ、２０８  樹脂インナー、２０９  ロックレバー、
２１１  スライダー部材
【図１】
2016133685.tif 000003
【図２】
2016133685.tif 000004
【図３】
2016133685.tif 000005
【図４】
2016133685.tif 000006
【図５】
2016133685.tif 000007
【図６】
2016133685.tif 000008
【図７】
2016133685.tif 000009
【図８】
2016133685.tif 000010
【図９】
2016133685.tif 000011
【図１０】
2016133685.tif 000012